(57)【要約】【課題】処方内容入力装置において、医療事務処理のための処方内容入力をより容易に行えるようにすることである。【解決手段】処方内容入力装置１００のＣＰＵ１０２における処方内容入力処理部１２０は、医療事務処理のための処方内容入力を行う機能を有する。処方データ記憶装置１０８には、過去の処方箋の内容が処方データベースとして記憶される。入力部１０４から患者名や医療機関名及び処方内容を表す略称を取得すると、これらを検索キーとして処方データベースが検索され、当該患者について同一の医療機関から発行され、かつ略称によって認識される範囲の処方内容を有する過去の処方箋が絞り込まれて抽出される。その中で処方内容入力の対象の処方箋と一致する過去の処方箋を選択し、その内容をそのままコピーして今回の処方内容として確定する。【選択図】        図４
2004318520.tif 000002
【特許請求の範囲】
【請求項１】
調剤報酬算定に供するために、医療機関の発行する処方箋に記載される処方内容を入力する処方内容入力装置であって、
過去の処方内容を処方箋ごとに、患者名と医療機関名とに関連付けて記憶する処方データベースと、
患者名と、医療機関名とを入力する患者データ入力手段と、
医薬品を表す略称を入力する略称入力手段と、
少なくとも入力された患者名と医療機関名と略称とを検索キーとして、処方データベースを検索し、当該患者に対し当該医療機関より発行され、かつ略称によって認識される範囲の処方内容を含む処方箋を絞り込んで抽出する絞込み手段と、
絞り込まれた過去の処方箋をリストとして表示するとともに、ユーザによる所望の処方箋の選択入力を受け付ける選択手段と、
該選択された過去の処方箋に記載された処方内容をそのままコピーして今回の処方内容として確定する確定手段と、
を備えることを特徴とする処方内容入力装置。
【請求項２】
請求項１に記載の処方内容入力装置において、
処方内容は、薬剤処方とともに他の処方を含むことを特徴とする処方内容入力装置。
【請求項３】
請求項１に記載の処方内容入力装置において、
絞込み手段は、さらに、最新の処方箋を含む任意数の処方箋に絞り込むことを特徴とする処方内容入力装置。
【請求項４】
請求項１に記載の処方内容入力装置において、
患者データ入力手段は、さらに、診療科名を入力し、
絞込み手段は、少なくとも入力された患者名と医療機関名と診療科名と略称とを検索キーとして、処方データベースを検索し、当該患者に対し当該医療機関の当該診療科より発行され、かつ略称によって認識される範囲の処方内容を含む処方箋を絞り込んで抽出することを特徴とする処方内容入力装置。
【請求項５】
調剤報酬算定に供するために、医療機関の発行する処方箋に記載される処方内容を入力する処方内容入力装置上で実行される処方内容入力プログラムであって、
患者名と医療機関名とを取得する患者データ取得処理手順と、
医薬品を表す略称を取得する略称取得処理手順と、
過去の処方内容を処方箋ごとに、患者名と医療機関名とに関連付けて記憶する処方データベースについて、少なくとも取得された患者名と医療機関名と略称とを検索キーとして検索し、当該患者に対し当該医療機関より発行され、かつ略称によって認識される範囲の処方内容を含む処方箋を絞り込んで抽出する絞込み処理手順と、
絞込み処理手順によって絞り込まれた過去の処方箋をリストとして表示するとともに、ユーザによる所望の処方箋の選択入力を受け付ける選択処理手順と、
該選択された過去の処方箋に記載された処方内容をそのままコピーして今回の処方内容として確定する確定処理手順と、
を実行させることを特徴とする処方内容入力プログラム。
【請求項６】
請求項５に記載の処方内容入力プログラムにおいて、
患者データ取得処理手順は、さらに、診療科名を取得し、
絞込み処理手順は、少なくとも入力された患者名と医療機関名と診療科名と略称とを検索キーとして、処方データベースを検索し、当該患者に対し当該医療機関の当該診療科より発行され、かつ略称によって認識される範囲の処方内容を含む処方箋を絞り込んで抽出することを特徴とする処方内容入力プログラム。
【発明の詳細な説明】
【０００１】
【発明の属する技術分野】
本発明は、医療事務処理のために処方内容を入力する処方内容入力装置及び処方内容入力プログラムに関する。
【０００２】
【従来の技術】
従来から医療機関や調剤薬局では、診療報酬や調剤報酬を計算するための医療事務処理装置が広く利用されている。
【０００３】
医療事務処理装置においては、医療機関により発行された処方箋に記載された処方内容をまず入力し、この処方内容入力に基づいて医療計算アプリケーションが診療報酬計算等を実施する。図５に処方箋の一例を示す。この処方箋１０の例では、３つの内服薬が処方されている。処方内容を入力する方法としては、
略称で薬を検索して入力する方法が一般的である。具体的には、医療保険の対象となっている医薬品のカナ表記した名称や計量単位、薬価等の情報をデータベースに登録しておき、薬を検索するときにはその医薬品の名称の一部、通常は先頭からの数桁をキーボードから入力し、前方一致する医薬品名を検索して一覧を先ず表示させて、その中から該当する１件を選択して入力するのである。このように、医薬品名の先頭の数文字を入力すれば類似名称の一覧が表示されて、そこから選べるようになっているので、ユーザは、処方箋に記載された医薬品のフルネームをキーボードから入力しなくてもよいわけである。
【０００４】
また、処方された複数の医薬品を一度に検索指示することもできる。図５の処方箋１０に記載された３つの薬を入力したいような場合は、例えば、「アイト＋アイセ＋アイケ」と１ラインで入力する。＋は略称の区切り記号である。そして、検索を指示すると、まず先頭の「アイト」について類似する名称の医薬品が検索されて一覧表示される。図６に類似一覧表２０の表示例を示す。そこで、ユーザは、類似一覧表２０の内容をスクロールするなどして処方箋１０に記載された医薬品名を探し、一致するものをクリックして選択指示する。これにより「アイトロール錠２０ｍｇ」が入力データとして特定できる。そして、今度は２番目の「アイセ」について類似一覧表が表示されるので、ユーザは同様に選択指示を繰り返すことで、処方箋１０に記載の３つの医薬品のデータを次々に入力できるものである。
【０００５】
また、このように処方箋に記載された医薬品を１つ１つ入力するのではなく、過去の処方箋の内容をそっくりコピーして入力する方法もある。その方法は、例えば慢性症状の患者等に対し同じ処方内容の処方箋が継続的に発行されることが多いことに着目したもので、過去の処方箋を検索し、同じ処方内容のものがあれば、そのままコピーしてそれを今回の処方内容とするものである。このように同一の処方内容をコピーしてこれを医療事務処理のための処方内容入力とする処理は、例えば「Ｄｏ処方入力」と呼ばれることがある。図７は、「Ｄｏ処方入力」における検索画面３０を示す例で、検索画面３０の下部には、患者鈴木一郎をキーワードにして過去の来局一覧表３２が示される。この来局一覧表３２から所望の来局日にマウスカーソルを合わせてクリック入力すると、検索画面３０の上部に、選択された来局日に対応する処方箋の処方内容３４が表示される。図７の例では、２００２年１２月９日の処方箋の処方内容が表示され、ちょうど、図５の処方箋の処方内容と同じであることがわかる。このように「Ｄｏ処方入力」においては、過去の来局日をスクロールして検索し、その１つをクリックして特定することで、その日と同じ処方内容を簡単に入力でき、医療事務処理のための処方内容入力を効率よく行えるものである。
【０００６】
【発明が解決しようとする課題】
しかし、略称による入力方法では、１つ１つ類似一覧表との対応をつけねばならず面倒である。また、「Ｄｏ処方入力」においては、来局一覧表を１件１件照合せねばならず不便である。
【０００７】
本発明の目的は、かかる従来技術の課題を解決し、医療事務処理のための処方入力データをより容易に入力することができる処方内容入力装置及び処方内容入力プログラムを提供することである。
【０００８】
【課題を解決するための手段】
上記目的を達成するため、本発明に係る処方内容入力装置は、調剤報酬算定に供するために、医療機関の発行する処方箋に記載される処方内容を入力する処方内容入力装置であって、過去の処方内容を処方箋ごとに、患者名と医療機関名とに関連付けて記憶する処方データベースと、患者名と、医療機関名とを入力する患者データ入力手段と、医薬品を表す略称を入力する略称入力手段と、少なくとも入力された患者名と医療機関名と略称とを検索キーとして、処方データベースを検索し、当該患者に対し当該医療機関より発行され、かつ略称によって認識される範囲の処方内容を含む処方箋を絞り込んで抽出する絞込み手段と、絞り込まれた過去の処方箋をリストとして表示するとともに、ユーザによる所望の処方箋の選択入力を受け付ける選択手段と、該選択された過去の処方箋に記載された処方内容をそのままコピーして今回の処方内容として確定する確定手段と、を備えることを特徴とする。
【０００９】
上記構成により、患者名と、医療機関名と、医薬品を表す略称とを入力することで、これらを検索キーとして、過去の処方内容を処方箋ごとに記憶する処方データベースを検索し、当該患者に対し当該医療機関より発行され、かつ略称によって認識される範囲の処方内容を含む処方箋を絞り込んで抽出し表示する。このように、患者名と、医療機関名と、略称とを入力することで、処方内容入力の対象の処方箋と一致する過去の処方箋を容易に選択でき、選択された処方箋に記載された処方内容をそのままコピーして今回の処方内容として確定できるので、医療事務処理のための処方内容入力をより容易に行うことができる。
【００１０】
また、処方内容は、薬剤処方とともに他の処方を含むことでもよい。上記構成により、薬剤処方を含む処方箋について、医療事務処理のための処方内容入力をより容易に行うことができる。
【００１１】
また、絞込み手段は、さらに、最新の処方箋を含む任意数の処方箋に絞り込むことが好ましい。当該患者に対し同じ処方箋は、同一医療機関から続けて出されること、あるいはあまり時期をおかず出されることが多い。上記構成により、このような場合、処方内容入力の対象の処方箋と一致する過去の処方箋を効率的に絞り込めるので、医療事務処理のための処方内容入力をより容易に行うことができる。
【００１２】
また、患者データ入力手段は、さらに、診療科名を入力し、絞込み手段は、少なくとも入力された患者名と医療機関名と診療科名と略称とを検索キーとして、処方データベースを検索し、当該患者に対し当該医療機関の当該診療科より発行され、かつ略称によって認識される範囲の処方内容を含む処方箋を絞り込んで抽出することが好ましい。上記構成により過去の処方箋をさらに効率的に絞り込むことができる。
【００１３】
また、本発明に係る処方内容入力プログラムは、調剤報酬算定に供するために、医療機関の発行する処方箋に記載される処方内容を入力する上で実行される処方内容入力プログラムであって、患者名と医療機関名とを取得する患者データ取得処理手順と、医薬品を表す略称を取得する略称取得処理手順と、過去の処方内容を処方箋ごとに、患者名と医療機関名とに関連付けて記憶する処方データベースについて、少なくとも取得された患者名と医療機関名と略称とを検索キーとして検索し、当該患者に対し当該医療機関より発行され、かつ略称によって認識される範囲の処方内容を含む処方箋を絞り込んで抽出する絞込み処理手順と、絞込み処理手順によって絞り込まれた過去の処方箋をリストとして表示するとともに、ユーザによる所望の処方箋の選択入力を受け付ける選択処理手順と、該選択された過去の処方箋に記載された処方内容をそのままコピーして今回の処方内容として確定する確定処理手順と、を実行させることを特徴とする。
【００１４】
また、患者データ取得処理手順は、さらに、診療科名を取得し、絞込み処理手順は、少なくとも入力された患者名と医療機関名と診療科名と略称とを検索キーとして、処方データベースを検索し、当該患者に対し当該医療機関の当該診療科より発行され、かつ略称によって認識される範囲の処方内容を含む処方箋を絞り込んで抽出することが好ましい。
【００１５】
【発明の実施の形態】
以下に図面を用いて本発明に係る実施の形態につき詳細に説明する。以下の例では、従来例と比較しやすいように、図５に示す処方箋１０の処方内容、すなわち３個の薬剤について処方内容入力データを編集し作成する場合について説明するが、薬剤の数は複数でも１個でもよい。また、内服薬処方以外の外用薬処方、検査処方等の他の処方であってもよい。また、薬剤を指定する略称は、ここに説明する以外の省略法に従った略称であってもよい。また、略称と薬剤とを対応付けるものとして、ここに説明する類似一覧表以外の候補一覧表であってもよい。
【００１６】
最初に、医療事務処理のための処方内容入力データを編集する画面を説明する。図１は、キーボード等から入力される処方内容に関する情報に従い、処方内容入力データを編集し作成するために処方内容入力装置が表示する処方入力編集画面の例を示す図である。この例において、処方入力編集画面５０の下側は、処方箋に記載されている薬剤名称を表す略称を入力する略称入力部５２であり、１ラインで複数の略称を入力することができる。処方入力編集画面５０の上側は、入力された略称をフルネームの処方内容に変換して編集するための編集部５４である。図１においては、図５で説明したように、まず、３個の内服薬処方の略称である「アイト＋アイセ＋アイケ」が入力された状態が示されている。ここではまだ処方内容が確定されていない状態なので編集部５４は何も表示がされていない。
【００１７】
処方入力編集画面５０において略称である「アイト＋アイセ＋アイケ」が入力されると、処方内容入力装置は、それぞれの略称に対応する医薬品と、及びそれぞれの略称に対応する医薬品の組み合わせを含む処方箋を検索して表示する。図２は、検索画面６０の一例を示す図である。検索画面６０には、「すべて」６１乃至「Ｄｏ処２」６５のタブを有するシートがあり、いずれかのタブをクリックすることで、そのシートを前面に表示することができる。
【００１８】
「すべて」６１のシートは、略称によって認識される範囲の薬剤名を類似一覧表として示す薬剤検索シート６１であり、図６で説明したものと同じ内容である。図２においては、略称「アイト」に対する類似一覧表が薬剤検索シート６１として表示されている。薬剤検索シート６１においてスクロールするなどして、処方箋に記載された薬剤名である「アイトロール錠２０ｍｇ」を探し、選択指示することができる。その選択指示が行われると、その内容、すなわち薬剤のフルネームである「アイトロール錠２０ｍｇ」が、先ほどの処方入力編集画面５０の編集部５４に入力されて表示される。
【００１９】
「Ｄｏ処１」６３と「Ｄｏ処２」６５のシートは、処方箋シート６３，６５である。同じ患者に対して同じ医療機関かつ同じ診療科から発行された過去の処方箋の中で、略称「アイト＋アイセ＋アイケ」で認識される範囲の類似薬剤の組み合わせを含む処方内容のものが表示されるシートである。ここでいう処方箋シートとは、過去の処方箋そのものでなく、過去の処方箋に基づいて医療事務処理を行った結果のデータを示すシートである。したがって、この処方箋シートには、処方された薬剤はもちろん、それ以外の調剤報酬計算結果等も含まれている。図２の例で処方箋シートが２個であるのは、該当する処方箋の中で最新のものと２番目に新しいものに限定して表示しているからである。表示される処方箋シートの数は、２以外でもよく、あらかじめ定めることができる。
【００２０】
図３は、２個の処方箋シートの中で、一方の処方箋シート「Ｄｏ処１」６３をクリックして前面に表示した図である。「Ｄｏ処１」のシートの内容は、４つの検索条件「患者名＋医療機関名＋診療科名＋薬剤名称」の組み合わせで過去の処方箋を検索し、検索条件を少なくとも含む処方箋のうち、最新の処方箋である。「Ｄｏ処２」６５のシートの内容は、最新の１つ前のものである。ここで、患者名と医療機関名及び内科等の科名は、処方内容入力に先立って入力済みであり、これにさらに薬剤名称、すなわち「アイト＋アイセ＋アイケ」の３つの略称を含む薬を組み合わせて過去の処方箋を検索するので、かなりの絞込みが行われる。そこで、検索にヒットしたうち、最新の２つを「Ｄｏ処１」、「Ｄｏ処２」として選択できるようにしたものである。
【００２１】
図３の処方箋シート６３の内容は、図５の処方箋、すなわち今回入力の対象となっている処方箋に記載された処方内容と一致している。ここでユーザがいわゆる「Ｄｏ処方入力」の実行を指示することで、その処方内容を今回の処方内容入力データとして確定することができる。「Ｄｏ処方入力」の指示は、シート下の「全Ｄｏ」６２または「薬Ｄｏ」６４のボタンをクリックすることで行うことができる。ここで「全Ｄｏ」を実行させると、処方箋シート６３の内容そのものがコピーされて、先ほどの処方入力編集画面５０の編集部５４に表示される。また、「薬Ｄｏ」６４を実行させると、指導料や加算を除いた薬だけの情報がコピーされる。
【００２２】
このように、１つには従来のように、処方内容入力装置のディスプレイ上に表示される処方入力編集画面５０と、薬剤検索シート６１とを用い、略称と類似一覧表とによる処方内容入力を行うことができるし、さらに、同じ患者に対して同じ医療機関の同じ診療科から発行され、かつ略称で指定した薬剤の組み合わせを含む処方内容に絞り込まれた過去の処方箋についても「Ｄｏ処方入力」を行うことができる。
【００２３】
図４は、処方内容入力装置１００のブロック図である。処方内容入力装置１００は、例えば診療報酬計算等に供するために処方内容入力を行う装置で、一般的なコンピュータに専用のアプリケーションを搭載して構成することもでき、あるいは機能を特化した専用のコンピュータに専用のアプリケーションを搭載して構成することもできる。処方内容入力装置１００は、独立の装置として構成することもでき、医療事務処理装置と一体化して構成することもできる。処方内容入力装置１００は、ＣＰＵ１０２と、キーボードやマウス等の入力部１０４と、処方入力編集画面や検索画面等を表示するディスプレイ等の出力部１０６と、過去の処方箋に対する処方内容である処方データベースを記憶する処方データ記憶装置１０８と、医療計算のための薬剤データベースを記憶する薬剤データ記憶装置１１０とを備え、これらは内部バスで相互に接続される。なお、薬剤データベース１１０には、医療保険の対象となる医薬品のカナ名称、薬価、計量単位等の情報が格納されている。
【００２４】
処方データ記憶装置１０８に格納される処方データベースは、処方内容入力装置１００で扱った過去の処方箋についてのデータベースで、処方箋に基づいて医療事務処理を行った結果が格納されている。具体的には、処方箋ごとに、患者名と医療機関名とに関連付けて処方内容とその処方内容に対する医療計算結果が記憶される。この処方内容にはもちろん薬剤名が含まれる。例えば、データ階層構造として、第１階層を患者ＩＤとし、第２階層以下を、日付、医療機関名、診療科、処方内容等にすることができる。また、薬剤データベースは、医薬品のカナ名称の先頭数文字で表す略称で検索することで、その略称によって認識される範囲の薬剤名を抽出することができる。
【００２５】
ＣＰＵ１０２における処方内容入力処理部１２０は、医療事務処理のための処方内容入力処理を行う機能を有する。具体的には、処方内容入力プログラムを実行し、入力部１０４から必要なデータを取得し、処方データ記憶装置１０８に記憶される過去の処方データを絞り込みつつ検索し、処方内容入力処理を行う機能を有する。処理の一部をハードウエアで実行させることもできる。入力された処方内容は、図示されていない医療事務処理部または医療事務処理装置に供され、調剤報酬計算等の医療事務処理が行われる。
【００２６】
特に、処方内容入力処理部１２０の中の患者データ取得モジュール１２２からＤｏ処方処理モジュール１３０までは、「Ｄｏ処方入力」、すなわち、同じ患者に対して同じ医療機関の同じ診療科から発行され、かつ略称で認識される範囲の処方内容を含む処方箋の処方内容を簡単にコピー入力する機能を有する。以下にこれら各機能の内容につき、必要に応じ図１から図３及び図５を参照しながら説明する。
【００２７】
患者データ取得モジュール１２２は、患者名と医療機関名及び診療科名とを取得する機能を有する。具体的には、処方内容入力の対象である処方箋に記載されている患者名と医療機関名及び内科、外科等の診療科名がキーボード等の入力部１０４から入力されるので、そのデータを取得する。患者名及び医療機関名、診療科名は、テキストデータで取得してもよく、また、あらかじめ患者ＩＤや医療機関ＩＤが定められているときは、ＩＤ情報であってもよい。処方内容入力の対象を図５で説明した処方箋１０とすれば、患者名「鈴木一郎」、医療機関「高橋整形外科」、診療科「整形外科」のデータが入力されて取得される。
【００２８】
略称取得モジュール１２４は、医薬品を表す略称を取得する機能を有する。具体的には、処方内容入力の対象である処方箋に記載されている各薬剤名をユーザが略称に移し変えてキーボード等の入力部１０４から入力するので、そのデータを取得する。略称は、薬剤データベース１１０に格納されている医薬品の名称の一部である。具体的にはカナ表記された薬剤名の先頭の数文字である。処方内容入力処理部１２０は、略称と前方一致する薬剤名称を検索して、類似一覧表を出力するものである。上記の処方箋１０の場合では、例えば「アイト＋アイセ＋アイケ」の３つの略称が１ラインで入力されて取得される。
【００２９】
患者名や医療機関名、診療科名及び略称が取得されると、これらのデータが処方データベース絞込みモジュール１２６に送られる。処方データベース絞込みモジュール１２６は、処方データ記憶装置１０８に記憶されている過去の処方箋に関する処方内容を絞り込んで抽出する機能を有する。具体的には、患者の過去の処方箋を、すでに取得している検索キーである患者名と医療機関名、診療科名及び略称を用いて検索する。
【００３０】
そして、処方データベース絞込みモジュール１２６は、処方内容入力の対象である当該患者について、同一の医療機関かつ同一の診療科から発行された処方箋のうち、略称で指定された薬剤の組み合わせを含む処方内容を有する過去の処方箋を絞り込んで抽出する。その際、薬剤名は略称と前方一致するものを検索対象にするので、類似の名称を含めて広めに検索する。該当する過去の処方箋が多数あることもあるので、あらかじめ任意の抽出数を定めることができる。例えば、抽出数を２とすれば、該当する過去の処方箋の中で最も直近の処方箋と、その次に新しい処方箋の２個に絞り込む。
【００３１】
絞り込まれ抽出された過去の処方箋データは、検索画面編集モジュール１２８に送られる。検索画面編集モジュール１２８は、取得した略称からフルネームの薬剤名を検索して特定するための検索画面６０を編集する機能を有する。具体的には、略称に対応する類似一覧表を示す薬剤検索シート６１と、処方データベース１０８から絞り込まれた過去の処方箋を示す処方箋シート６３，６５とを編集して表示する機能を有する。編集された画面の一例が上述の図２に示す検索画面６０である。
【００３２】
編集表示された検索画面６０を用いて、処方内容入力を行うことができる。Ｄｏ処方処理モジュール１３０は、「Ｄｏ処１」及び「Ｄｏ処２」として表示された絞り込み済みの過去の処方箋について、ユーザによる所望の処方箋の選択入力を受け付ける機能と、選択された過去の処方箋に記載された薬剤名等の処方内容をそのままコピーして今回の処方内容として確定する機能を有する。具体的には、検索画面６０上でユーザの選択を取得し、ユーザ所望の処方箋、例えば図３の処方箋シート６３が選択され、次に「全Ｄｏ」ボタン６２のクリック入力を取得して、選択された処方箋シート６３に記載された処方内容をそのままコピーして今回の処方内容として確定する機能を有する。すなわち、上記の例では、図１の処方入力編集画面５０に、そのコピー内容が転送されて今回の処方内容として表示される。
【００３３】
このようにして、ユーザは、検索画面６０において表示される過去の絞込み済みの処方箋における薬剤名と、処方内容入力の対象の処方箋に記載される薬剤名とを照合し、一致するときはその処方箋を選択し、「Ｄｏ処方入力」を指示するだけで、その薬剤名等をそのまま処方入力編集画面に転送できる。また、照合の結果、処方内容が全部一致する処方箋が検出できないときにも、その処方箋を選択して一旦処方入力編集画面５０に転送し、処方入力編集画面５０上で、簡単に修正編集を行うこともできる。例えば、薬剤名は一致しているが、量や回数が相違しているような場合には、相違している部分のみ修正することで、容易に所望の処方内容入力を行うことができる。
【００３４】
あるいは、今回の処方箋に新たな薬剤が追加されたような場合には、この新たな薬剤を除いた他の処方内容を含む過去の処方箋を選択して一旦処方入力編集画面に転送する。さらに検索画面群の中の薬剤検索画面を用いてこの新たな薬剤名を類似一覧表から検索して特定し、その特定結果を処方入力編集画面に転送する。これらを編集することで、容易に所望の処方内容入力を行うことができる。
【００３５】
【発明の効果】
本発明に係る処方内容入力装置及び処方内容入力プログラムによれば、医療事務処理のための処方内容入力をより容易に行うことができる。
【図面の簡単な説明】
【図１】本発明に係る実施の形態の処方内容入力装置における処方入力編集画面の例を示す図である。
【図２】本発明に係る実施の形態の処方内容入力装置における検索画面例を示す図である。
【図３】本発明に係る実施の形態における処方内容入力装置の検索画面における処方箋シートの例を示す図である。
【図４】本発明に係る実施の形態における処方内容入力装置のブロック図である。
【図５】処方箋の一例を示す図である。
【図６】略称に対応する類似一覧表を表示する画面の例を示す図である。
【図７】従来例において、いわゆる「Ｄｏ処方入力」における検索画面の一例を示す図である。
【符号の説明】
１０  処方箋、２０  類似一覧表、３０  「Ｄｏ処方入力」における検索画面、３２  来局一覧表、３４  処方箋の処方内容、５０  処方入力編集画面、５２略称入力部、５４  編集部、６０  検索画面、６１  「すべて」のタブを有する薬剤検索シート、６２  「全Ｄｏ」、６３，６５  「Ｄｏ処１」、「Ｄｏ処２」のタブを有する処方箋シート、６４  「薬Ｄｏ」、１００  処方内容入力装置、１０２  ＣＰＵ、１０４  入力部、１０６  出力部、１０８  処方データ記憶装置、１１０  薬剤データ記憶装置、１２０  処方内容入力処理部、１２２  患者データ取得モジュール、１２４  略称取得モジュール、１２６  処方データベース絞込みモジュール、１２８  検索画面編集モジュール、１３０  Ｄｏ処方処理モジュール。
【図１】
2004318520.tif 000003
【図２】
2004318520.tif 000004
【図３】
2004318520.tif 000005
【図４】
2004318520.tif 000006
【図５】
2004318520.tif 000007
【図６】
2004318520.tif 000008
【図７】
2004318520.tif 000009